(57)【要約】  既存のインプラントは、フィクスチャー（人工歯根）が顎骨（歯槽骨を含む）と骨癒着して固定されてインプラントが力を受けることができる。したがって、既存のインプラントはフィクスチャーの他に支台柱という部品が別途にあり、支台柱はフィクスチャーが骨癒着するとフィクスチャーにねじで結合されるのが普通である。このため、インプラントの構造が複雑となり、フィクスチャーと支台柱の連結部位が弱くなり得る。また、フィクスチャーの骨癒着時間が長いため施術期間が長くなる。このような既存のインプラントの問題点を解決するために、ボルトタイプインプラントでは、インプラントを支持する力をボルトとナットの結合力によって解決した。そして、フィクスチャーと支台柱を結合して構造を単純にすることによって耐久力を増加させた。さらに、ボルトタイプインプラントは施術したとたんにインプラントを顎骨に固定する力を得るため、インプラントの施術期間を格段に減らすことができる。【選択図】  図１
2021511860.tif 000002
【特許請求の範囲】
【請求項１】
歯科用インプラントにおいて、
インプラントを植え込む位置の下顎骨（歯槽骨を含む）に垂直に貫通するように穿孔した孔に挿入できるボルト（１２）と顎骨に挿入されたボルトに差し込んでボルトを下顎骨（歯槽骨を含む）に固定できるようにするナット（２０）と当該ボルトのボルト頭の上にボルトと一体に形成されてクラウン（人工歯）を連結できるようにする支台柱（１１）で構成されたことを特徴とするボルトタイプインプラント。
【発明の詳細な説明】
【技術分野】
【０００１】
本発明であるボルトタイプインプラントの技術分野は歯科用インプラントである。。
【背景技術】
【０００２】
本発明の背景となる技術は既存の歯科用インプラントである。
【０００３】
一般に、既存のインプラントは自然歯を代替するためのものであって、まず歯茎を切開して歯槽骨に孔を形成した後、そこに金属からなるフィクスチャー（人工歯根）を植え込み、骨とフィクスチャーがくっつくと（骨癒着という）フィクスチャーに支台柱を結合し、再び支台柱にクラウン（人工歯）を付着してインプラントを完成する。
【発明の概要】
【発明が解決しようとする課題】
【０００４】
既存のインプラントは、フィクスチャーが顎骨（歯槽骨を含む）と骨癒着しないとフィクスチャーが固定されないため、フィクスチャーの他に別途の支台柱が必要である。また、フィクスチャーに支台柱を連結するためには通常ねじを利用して連結するが、このためフィクスチャーと支台柱の形が複雑となり、またフィクスチャーと支台柱の連結部位が弱いため故障が発生し得、複雑な構造により細菌の生息が可能であるため感染の可能性も高くなる。
【０００５】
また、フィクスチャーの骨癒着でインプラントが固定される力を得るためフィクスチャーにある程度の大きさが必要となり、そのため顎骨を多く削り取らなければならないため顎骨の損傷が大きく、また、歯槽骨が少ないかない人には施術が容易ではない。
そして、フィクスチャーの骨癒着時間が長いためインプラントの施術期間が長くなる。
【課題を解決するための手段】
【０００６】
前記で指摘した既存のインプラントの短所を解決するために、ボルトタイプのインプラントではインプラントを下顎骨（歯槽骨を含む）に固定する方式を、骨癒着ではないボルトとナットの結合力によって解決した。
そして、既存のインプラントのフィクスチャー部分と支台柱部分を一つに結合して構造をより単純にした。
【発明の効果】
【０００７】
本発明に係るボルトタイプインプラントの効果は、
【０００８】
第１、構造がボルトとナットで構成されて単純であるためインプラントの耐久性が強く、したがって既存のインプラントのフィクスチャーに比べてボルトの直径を小さくしても同一の支持力を得ることができる。
【０００９】
第２、既存のインプラントのフィクスチャーに比べてボルトの直径が小さいため、顎骨（歯槽骨を含む）を削り取る量が少なく、したがって顎骨に与える損傷が少ない。
第３、ボルトとナットの結合力によってインプラントが支持されるため、歯槽骨が少ないかない場合にもインプラントの支持力が維持される。
第４、既存のインプラントに比べて構造が単純であるため、細菌感染の可能性が低い。
第５、フィクスチャーの骨癒着時間が不要であるため、施術期間が格段に短い。
【００１０】
第６、施術したインプラントに問題が発生してインプラントを除去しなければならない場合、骨癒着した既存のインプラントに比べてボルトタイプインプラントは、構造がボルトとナットで構成されており、体積も小さいため除去が容易である。
【図面の簡単な説明】
【００１１】
【図１】ボルトタイプインプラントの斜視図。  ボルトタイプインプラントはインプラント本体１０とナット２０で構成されている。
【図２】ボルトタイプインプラントを設置するために、ドリルで下顎骨（歯槽骨を含む）に穿孔した孔の断面図。
【００１２】
この図において、孔の上部と下部の大きさ（直径）が中間より若干大きいが、その理由は上部にはボルト頭１２ａが入り、下部にはナット２０が入るためである。
【図３】施術が完成したボルトタイプインプラントの総合的である断面図。
【発明を実施するための形態】
【００１３】
本発明に係るボルトタイプインプラントはインプラント本体１０とナット２０で構成されている。
そして、インプラント本体１０は支台柱１１とボルト１２に区分されるが、しかし支台柱とボルトは連結されて一体に形成されている。
支台柱はボルト頭１２ａの上に連結されて形成されている。
部品の機能は。
ボルトとナットはインプラント全体を下顎骨に固定させる役割をし、支台柱はクラウン（人工歯）をボルトに連結しクラウンを支持する役割をする。
【００１４】
図面では支台柱にクラウンを連結する方法を、既存のインプラントの施術時に多く使っている支台柱に接着剤を塗ってクラウンを連結する方式を仮定して、支台柱の形を図示した。
【００１５】
しかし、接着剤でクラウンを支台柱に付着させる方法以外に他の方式も考えられ得るが、それは本発明の主題とは関連がなく、ただし、支台柱がいずれの方式であれ、クラウンを連結し支持することさえできればよいので、詳しい説明は省略する。
（実施例）。
ボルトタイプインプラントを施術する手続きを説明すると（図面を参照）、
第１、インプラント本体１０とナット２０をあらかじめ準備する。
第２、インプラントを施術する位置の歯茎とその下の下顎の皮膚をそれぞれ切開する。
第３、ドリルを使って下顎骨１０２を垂直に貫通して孔５０を穿孔する。そして、穿孔した孔の上部と下部の孔をドリルを使ってもう少し大きく広げる。
その理由は、インプラント本体とナットを設置する時、上部の孔５０ａにはボルト頭１２ａが入り、下部の孔５０ｂにはナット２０が入るためである。
【００１６】
第４、インプラント本体を下顎骨の孔５０に上から下へ挿入した後、顎骨の孔の下に突出したボルト胴体の下に形成されたねじ部分にナットを差し込んで締め付ける。
第５、歯茎と顎下の皮膚を縫い合わせる。この時、支台柱の上部は歯茎の外に突出することになる。
第６、クラウンを製作して支台柱に連結するとボルトタイプインプラントの施術が完了する。
【産業上の利用可能性】
【００１７】
ボルトタイプインプラントは歯に欠損が生じた患者に自然歯を代替するために利用可能である。
【符号の説明】
【００１８】
１０：インプラント本体（支台柱とボルトが一体に形成されているものをいう）
１１：支台柱
１２：ボルト
１２ａ：ボルト頭
１２ｂ：ボルト胴体
１２ｂａ：ボルト胴体の端に形成されたねじ部分
２０：ナット
２０ａ：ナットに形成されている溝（ドライバーでナットを回すときに利用する溝）
３０：クラウン（人工歯）
５０：ボルトタイプインプラントを挿入するために下顎骨に穿孔した孔
５０ａ：下顎骨に穿孔した孔５０のうち、上部の孔の大きさ（直径）を広げてボルト頭１２ａが入るようにしたところ
５０ｂ：下顎骨に穿孔した孔５０のうち、下部の孔の大きさ（直径）を広げてナット２０が入るようにしたところ
１０１：歯茎
１０２：下顎骨（歯槽骨を含む）
１０３：下顎骨の下の皮膚
【図１】
2021511860.tif 000003
【図２】
2021511860.tif 000004
【図３】
2021511860.tif 000005
【国際調査報告】
2021511860.tif 000006
2021511860.tif 000007
2021511860.tif 000008
2021511860.tif 000009